(57)【要約】【課題】撮像手段と電子ミラーモニタとの配置姿勢にズレがある場合であっても、電子ミラー画面に車両後方画像を運転者が抱く違和感を低減した状態で表示できる車両用表示装置の向上を図ること。【解決手段】自車両の後方を撮影する撮像手段１１と、撮像手段１１により撮影した車両後方画像を表示する電子ミラーモニタ１２とを備えた車両用表示装置であって、撮像手段１１の配置姿勢と同じ基準姿勢Ｓｂに対して運転者側に向けて傾けた傾け姿勢Ｓａで配置された電子ミラーモニタ画面１２Ａに表示される車両後方画像Ｐ１を、該電子ミラーモニタ１２が基準姿勢Ｓｂで配置された場合に運転者から視認される視線角度θに応じた視認映像に基づく補正画像Ｐ３に補正する補正手段２２を備えた。【選択図】図３
2016172525.tif 000002
【特許請求の範囲】
【請求項１】
自車両の後方を撮影する撮像手段と、
前記撮像手段により撮影した車両後方画像を表示する電子ミラーモニタとを備えた車両用表示装置であって、
前記撮像手段の配置姿勢と同じ基準姿勢に対して運転者側に向けて傾けた傾け姿勢で配置された前記電子ミラーモニタ画面に表示される前記車両後方画像を、該電子ミラーモニタが前記基準姿勢で配置された場合に運転者から視認される視線角度に応じた視認映像に基づく補正画像に補正する補正手段を備えた
車両用表示装置。
【請求項２】
前記補正手段は、前記基準姿勢で配置した場合の電子ミラーモニタの画面に表示される前記車両後方画像に至るまでの運転者の視線経路に従って該車両後方画像を前記傾け姿勢で配置された前記電子ミラーモニタの画面に投影補正する投影補正手段であり、
前記補正画像は、前記車両後方画像を前記投影補正手段によって投影補正した投影画像である
請求項１に記載の車両用表示装置。
【請求項３】
前記補正手段は、
前記基準姿勢で配置した前記電子ミラーモニタの画面において、該電子ミラーモニタを前記傾け姿勢へ傾ける傾け軸方向に直交する直交方向の一方側と他方側とで運転者からの距離が異なることに伴って前記車両後方画像に生じる遠近感を、前記傾け姿勢で配置した前記電子ミラーモニタの画面において強調して表現する遠近感強調補正を行う遠近感強調表現手段であり、
前記補正画像は、前記車両後方画像を前記遠近感強調表現手段によって遠近感強調補正した遠近感強調画像である
請求項１、又は２に記載の車両用表示装置。
【請求項４】
前記基準姿勢で配置した前記電子ミラーモニタの画面に表示される前記車両後方画像の前記直交方向における両側のうち、前記基準姿勢から前記傾け姿勢に傾けることにより運転者側に接近する側の端辺を接近側画像端辺に設定し、
前記遠近感強調表現手段は、前記車両後方画像における前記傾け軸方向の少なくとも一方側の端辺を前記接近側画像端辺に向けて徐々にトリム幅が大きくなるようにトリミング処理するトリミング処理部である
請求項３に記載の車両用表示装置。
【請求項５】
前記基準姿勢は、車両前方向に直交する直交面上に前記電子ミラーモニタが配置される姿勢であり、
前記車両後方画像は、
前記電子ミラーモニタを前記傾け姿勢に配置した状態において、
車両上下方向に平行な縦端辺と、車幅方向に平行な横端辺とで正面視略四角形状の画像枠を有し、
前記前記遠近感強調表現手段は、
前記縦端辺と車両上下方向とのなす角と、
前記横端辺と前記車幅方向とのなす角とのうち、角度が大きい側の画像端辺に沿ってのみ遠近感強調補正を行う構成とした
請求項３、又は４に記載の車両用表示装置。
【発明の詳細な説明】
【技術分野】
【０００１】
この発明は、自車両の後方を撮影する撮像手段と該撮像手段により撮影した車両後方画像を表示する電子ミラーモニタとを備えた車両用表示装置に関する。
【背景技術】
【０００２】
車両用表示装置は、運転者が車両後方を確認するために、後方カメラ（撮像手段）によって撮像された画像を車室内に搭載されたモニタに表示し、運転者がドアサイドミラーやバックミラー等の代わりに、電子ミラーとして上記モニタを目視することにより、車両後方の様子を確認するものである。このような車両用表示装置に関して、近年では、特許文献１に例示されるように、運転者が車両後方の様子をより分かり易くモニタに表示するための技術が知られている。
【０００３】
特許文献１は、電子ミラーの表示部に表示される映像が車両の右後方と左後方のいずれの映像であるかを直感的に分かり易くするために、電子ミラーの表示部（モニタ）を、運転者と撮像手段との位置関係に応じて運転者の正面位置から外した位置に配置させたもので、これにより、電子ミラーとカメラとの設置箇所の違いによる運転者が抱く違和感を緩和することができるとされている。
【０００４】
ところで、運転者は、電子ミラー画像を目視する際には、電子ミラー画面に表示された画像を直感的、経験的に、あたかもサイドミラー越しに見た鏡面映像として認識しようとするが、後方カメラの撮像方向と電子ミラーモニタ画面の表示方向、すなわち、後方カメラと電子ミラーモニタとの配置姿勢にズレがある場合、電子ミラー画面に、該電子ミラーの配置姿勢とは異なる姿勢の下で撮像した車両後方映像が表示されることになるため、運転者は違和感を抱くおそれがあった。
【０００５】
上述した特許文献１の場合、電子ミラーモニタと後方カメラとの設置箇所の違いについては着目されているが、設置角度の違いによって運転者が抱くおそれのある違和感については考慮されていないと言わざるを得ない。
【０００６】
近年では、例えば特許文献２のように、電子ミラーモニタと後方カメラとの設置角度の違いによって運転者違和感を抱くことなく電子ミラー画像を目視できるように後方カメラで撮像した撮像画像に対して適宜の画像処理を施した出力画像を電子ミラーモニタに表示させる技術が提案されているが、運転者が抱く違和感を十分に解消できるとまでは言えず、さらなる検討の必要があった。
【先行技術文献】
【特許文献】
【０００７】
【特許文献１】特開２００５−３２９７６８号公報
【特許文献２】特開２０１３−２１６２８６号公報
【発明の概要】
【発明が解決しようとする課題】
【０００８】
そこでこの発明は、撮像手段と電子ミラーモニタとの配置姿勢にズレがある場合であっても、電子ミラー画面に車両後方画像を運転者が抱く違和感を低減した状態で表示できる車両用表示装置の向上を図ることを目的とする。
【課題を解決するための手段】
【０００９】
この発明は、自車両の後方を撮影する撮像手段と、前記撮像手段により撮影した車両後方画像を表示する電子ミラーモニタとを備えた車両用表示装置であって、前記撮像手段の配置姿勢と同じ基準姿勢に対して運転者側に向けて傾けた傾け姿勢で配置された前記電子ミラーモニタ画面に表示される前記車両後方画像を、該電子ミラーモニタが前記基準姿勢で配置された場合に運転者から視認される視線角度に応じた視認映像に基づく補正画像に補正する補正手段を備えたことを特徴とする。
【００１０】
上記構成によれば、前記車両後方画像を、該電子ミラーモニタが前記基準姿勢で配置された場合に運転者から視認される視線角度に応じた視認映像に基づく補正画像に補正し、該補正画像を前記傾け姿勢で配置された前記電子ミラーモニタ画面に表示させるため、運転者は前記基準姿勢（撮像画像配置姿勢）と傾け姿勢との角度の違いによる違和感を感じることなく、車両後方画像中の内容を迅速に認識することができる。
【００１１】
またこの発明の態様として、前記補正手段は、前記基準姿勢で配置した場合の電子ミラーモニタの画面に表示される前記車両後方画像に至るまでの運転者の視線経路に従って該車両後方画像を前記傾け姿勢で配置された前記電子ミラーモニタの画面に投影補正する投影補正手段であり、前記補正画像は、前記車両後方画像を前記投影補正手段によって投影補正した投影画像とすることができる。
【００１２】
上記構成によれば、前記補正画像としての投影画像を、前記傾け姿勢で配置された前記電子ミラーモニタの画面に表示することで、運転者は、基準姿勢で配置された電子ミラーモニタの画面を見た場合に視認される前記車両後方画像を傾け姿勢で配置された電子ミラーモニタの画面から視認することができる。これにより、運転者は前記傾け姿勢で配置した電子ミラーモニタの配置角度と、該電子ミラーモニタに表示されている車両後方画像の撮像角度との角度のズレによる違和感を感じることがなく、車両後方画像中の内容を迅速に認識することができる。
【００１３】
またこの発明の態様として、前記補正手段は、前記基準姿勢で配置した前記電子ミラーモニタの画面において、該電子ミラーモニタを前記傾け姿勢へ傾ける傾け軸方向に直交する直交方向の一方側と他方側とで運転者からの距離が異なることに伴って前記車両後方画像に生じる遠近感を、前記傾け姿勢で配置した前記電子ミラーモニタの画面において強調して表現する遠近感強調補正を行う遠近感強調表現手段であり、前記補正画像は、前記傾け姿勢で配置された前記電子ミラーモニタの画面に前記遠近感強調表現手段によって遠近感強調補正した遠近感強調画像とすることができる。
【００１４】
上記構成によれば、前記基準姿勢で配置した前記電子ミラーモニタの画面において、前記車両後方画像に生じる上述した遠近感を考慮して前記車両後方画像を前記傾け姿勢で配置した前記電子ミラーモニタ画面に強調して表示することで、前記傾け姿勢で配置した前記電子ミラーモニタ画面越しに前記基準姿勢（撮像手段配置姿勢）に対応する撮像方向から撮像した車両後方画像を運転者が視認する際の上述した違和感をより一層、低減することができる。
【００１５】
またこの発明の態様として、前記基準姿勢で配置した前記電子ミラーモニタの画面に表示される前記車両後方画像の前記直交方向における両側のうち、前記基準姿勢から前記傾け姿勢に傾けることにより運転者側に接近する側の端辺を接近側画像端辺に設定し、前記遠近感強調表現手段は、前記車両後方画像における前記傾け軸方向の少なくとも一方側の端辺を前記接近側画像端辺に向けて徐々にトリム幅が大きくなるようにトリミング処理するトリミング処理部とすることができる。
【００１６】
上記構成によれば、前記トリミング処理部により、前記車両後方画像における前記傾け軸方向の少なくとも一方側の端辺を前記接近側画像端辺に向けて徐々にトリム幅が大きくなるようなトリム部分を前記車両後方画像に形成することで前記傾け姿勢で配置した前記電子ミラーモニタの画面に表示される前記車両後方画像の遠近感を出すことができる。
【００１７】
なお、前記トリミング処理部により、前記車両後方画像にトリム部分を形成するトリミング処理を行う際には、そのトリミング処理とともに該車両後方画像を圧縮する等変形させても、変形させなくてもいずれであってもよい。
【００１８】
またこの発明の態様として、前記基準姿勢は、車両前方向に直交する直交面上に前記電子ミラーモニタが配置される姿勢であり、前記車両後方画像は、前記電子ミラーモニタを前記傾け姿勢に配置した状態において、車両上下方向に平行な縦端辺と、車幅方向に平行な横端辺とで正面視略四角形状の画像枠を有し、前記前記遠近感強調表現手段は、前記縦端辺と車両上下方向とのなす角と、前記横端辺と前記車幅方向とのなす角とのうち、角度が大きい側の画像端辺に沿ってのみ遠近感強調補正を行う構成とすることができる。
【００１９】
上記構成によれば、前記前記遠近感強調表現手段により、前記電子ミラーモニタを前記傾け姿勢に配置した状態において、前記縦端辺と車両上下方向とのなす角と、前記横端辺と車幅方向とのなす角とのうち、角度が大きい側の画像端辺に沿ってのみトリミング処理などの遠近感強調補正をすることにより、例えば、前記縦端辺と前記横端辺との双方の成分について前記車両後方画像をトリミング処理した場合のように、前記車両後方画像の画像枠がいびつな形状になるなどしてかえって前記車両後方画像の視認性が低下することを防ぎ、遠近感を出しつつ、視認性を確保することができる。
【発明の効果】
【００２０】
この発明によれば、撮像手段と電子ミラーモニタとの配置姿勢にズレがある場合であっても、電子ミラー画面に車両後方画像を運転者が抱く違和感を低減した状態で表示できる車両用表示装置の向上を図ることができる。
【図面の簡単な説明】
【００２１】
【図１】本車両用表示装置の概略構成を示すブロック図。
【図２】車室内における電子ミラーモニタの設置箇所の説明図。
【図３】運転者が運転している様子を側面視して模式的に示した説明図。
【図４】車両後方画像を表示した電子ミラーモニタの正面図。
【図５】運転者と実施例１の電子ミラーモニタの視線角度との関係を示す模式図。
【図６】本車両用表示装置の制御処理を示すフローチャート。
【図７】実施例１における投影画像の正面図。
【図８】実施例１における遠近感強調画像の正面図。
【図９】運転者が運転している様子を平面視して模式的に示した説明図。
【図１０】運転者と実施例２の電子ミラーモニタの視線角度との関係を示す模式図。
【図１１】実施例２における投影画像の正面図。
【図１２】実施例２における遠近感強調画像の正面図。
【図１３】他の実施形態における遠近感強調画像の正面図。
【図１４】さらに他の実施形態に遠近感強調画像の正面図。
【発明を実施するための形態】
【００２２】
この発明の一実施例を以下図面に基づいて詳述する。  
図１は本実施形態の車両用表示装置の概略構成を示すブロック図であり、図２は車室内における左電子ミラーモニタの設置箇所の説明図である。図３は、運転者の前方上側位置に傾け姿勢で配置した左電子ミラーモニタを見ながら運転している様子を側面視して模式的に示した説明図であり、左電子ミラーモニタの周辺部分の拡大図を示している。図４は、補正処理前の車両後方画像を表示した左電子ミラーモニタの正面図であり、画像枠の各端辺と傾き軸の説明図である。図５は運転者と該運転者の前方上側位置に配置した左電子ミラーモニタとの角度の関係を模式的に示した説明図であり、左電子ミラーモニタの配置姿勢に応じた運転者の視線角度の違いを説明する説明図である。図６は車両用表示装置の実施例１の制御処理（運転支援処理）の制御処理を示すフローチャートである。
図７は実施例１の車両用表示装置の投影補正部により車両後方画像を投影補正した投影画像を模式的に示した正面図であり、図８は実施例１の車両用表示装置の遠近感強調補正部により車両後方画像を遠近感強調補正した遠近感強調画像を模式的に示した正面図である。但し、図５中、及び後述する図１０中の符号１２は、左電子ミラーモニタの左側面を模式的に示しているが、該左電子ミラーモニタ画面12Aのみを表し、該画面12Aの外周側のハウジング部分を省略して示している。
【００２３】
（実施例１）  
実施例１の車両用表示装置１を備えた車両は、図１に示すように、自車両の左後方を撮影する左サイドカメラ１１と、該左サイドカメラ１１により撮影した車両後方画像を表示する左電子ミラーモニタ１２（左電子ミラーディスプレイ１２）と、車両用表示装置１の制御処理などの各種処理を行うＥＣＵ２０とを備えている。
【００２４】
なお、本実施例の車両には上述した左サイドカメラ１１や左電子ミラーモニタ１２等の車両左側に備えた機器は、それぞれに対応する機器を右側にも備えているが、これら左右各側に備えた一対の機器のうち、右側に備えた機器は、特に示す場合を除いて上記左側に備えた機器と同様の構造であるため、車両左側に備えた機器に関する構成を中心に説明する。
【００２５】
左サイドカメラ１１は、図２に示すように、自車両の左側後方を連続的に撮像可能に自車両の左側部、すなわち左フロントフェンダーにおける後側上部（左側フロントサイドウインドウの近傍）に備えている。
【００２６】
この左サイドカメラ１１は、左サイドカメラハウジングの内部に、車体ボディから車幅方向外側に突出するカメラブラケットを介して先端側に備え、例えば可視光領域や赤外線領域等にて撮像可能なＣＣＤやＣＭＯＳを撮像素子とする小型のカラーカメラ等からなり、撮影した情報を動画情報としてリアルタイムに出力する。
【００２７】
このような左サイドカメラ１１は、その配置姿勢、すなわち該左サイドカメラ１１のレンズ（カメラの光軸方向、撮像方向）が車両後方Rを向く姿勢に対して変更可能に構成しており、本実施例においては、左サイドカメラ１１は、水平方向（幅方向Ｗ）、及び鉛直方向（車両上下方向Ｖ）に対して傾けずに車両後方Ｒに向けた撮像方向となるように配置されているものとする。
【００２８】
なお、本実施例の車両の側部にはドアミラー（サイドミラー）を備えていないが、サイドカメラとは別途、ドアミラーを備え、ハウジングにサイドカメラを埋設したカメラ一体型のドアミラーを採用してもよい。
【００２９】
左電子ミラーモニタ１２は、液晶モニタ等で構成し、自車両の左後方の様子を後述するＥＣＵ２０による画像処理により得られた画像を表示する。このような左電子ミラーモニタ１２は、図２、図３及び図５に示すように、運転者（Ｄ）に対して前方上側位置Ｐｕに配置されている。
【００３０】
本実施例において前方上側位置Ｐｕとは、図３、及び図５に示すように、運転者から視認できるように運転者から見て水平面（前方F）に対して例えば、２０度の仰角βの方向に運転者が前方Ｆから視線を移動した位置であるものとする。
【００３１】
具体的には、図２、及び図３に示すように、左電子ミラーモニタ１２は、支持部材３によって支持され、基準姿勢Ｓｂに対して少なくとも車幅方向Ｗ軸回り（ピッチ方向αｐ）と車両上下方向Ｖ軸回り（ヨー方向αｙ）とに傾けて角度調整可能にボールジョイント３ｊを介して支持部材３の先端部に接続されている。このような支持部材３は、車両ルーフ５の前部における、ステアリングホイール４の配置箇所と車幅方向Ｗにおいて略同位置に設置されている。
【００３２】
ここで基準姿勢Ｓｂとは、左サイドカメラ１１を運転者の側へ傾ける前の姿勢であり、本実施例においては、左サイドカメラ１１の配置姿勢と同じ姿勢であって、電子ミラーモニタ画面１２Ａが車両後方Ｒを向く姿勢である。換言すると、基準姿勢Ｓｂとは、車両前後方向に直交する直交面上に左電子ミラーモニタ１２の画面１２Ａが一致するように配置された姿勢である。
【００３３】
左電子ミラーモニタ１２は、図４に示すように、基準姿勢Ｓｂにおいて車両上下方向Ｖに平行な縦端辺Ｔｙと、車幅方向Ｗに平行な横端辺Ｔｘとで正面視略四角形状の画像枠Ｆを有する車両後方画像を表示可能な正面視略四角形状の画面１２Ａを有している。
【００３４】
ここで、画像枠Ｆの上下各側に有する一対の横端辺Ｔｘ，Ｔｘのうち、上端に位置する横端辺Ｔｘを、上側横端辺Ｔｘｕに設定するとともに、下端に位置する横端辺Ｔｘを、下側横端辺Ｔｘｄに設定する。さらに、画像枠Ｆの左右各側に有する一対の縦端辺Ｔｙ，Ｔｙのうち、車幅方向Ｗの左端に位置する縦端辺Ｔｙを、左側縦端辺Ｔｙｌに設定するとともに、車幅方向Ｗの右端に位置する縦端辺Ｔｙを、右側縦端辺Ｔｙｒに設定する。また、左電子ミラーモニタ画面１２Ａの基準姿勢Ｓｂにおける車両上下方向Ｖ、車幅方向Ｗを、それぞれ縦方向Ｙ、横方向Ｘに設定し、特に、上方向、及び下方向を、それぞれ縦方向上側Ｙｕ、縦方向下側Ｙｄに設定するとともに、車幅方向Ｗの左側、及び車幅方向Ｗの右側を、それぞれ横方向左側Ｘｌ、横方向右側Ｘｒに設定する（図４参照）。
【００３５】
なお、図４中の左電子ミラーモニタ画面１２Ａに表示されている画像は、後述する画像生成部２１によって生成した後、後述する画像補正処理を行っていない画像補正前の車両後方画像Ｐ１の一例を示している。
【００３６】
さらにまた、左電子ミラーモニタ１２は、上述したように、ボールジョイント３ｊを中心にしてピッチ方向αｐのマイナス方向（画面１２Ａが倒伏する方向）へ傾けることで、図３中の一部拡大図に示すように、基準姿勢Ｓｂに対して運転者側に向けて傾けた傾け姿勢Ｓａに傾けることができる。但し、本実施例においては、図４に示すように、基準姿勢Ｓｂから傾け姿勢Ｓａに傾けるピッチ方向αｐの傾け軸（回動軸）を、模式的に、下側横端辺Ｔｘｄに沿った軸と一致するものとし、左電子ミラーモニタ１２を下側横端辺Ｔｘｄ軸回りに基準姿勢Ｓｂから傾け姿勢Ｓａへ傾けるものとみなして説明する。
【００３７】
また、傾け姿勢Ｓａは、左電子ミラーモニタ１２の画面１２Ａを基準姿勢Ｓｂに対して運転者の側へ向けて傾けた姿勢であれば特に限定しないが、本実施例における傾け姿勢Ｓａは、図５に示すように、左電子ミラーモニタ１２の画面１２Ａを目視している運転者の視線方向に略正対（一致）する姿勢、すなわち、本実施例においては、基準姿勢Ｓｂに対して傾き角度αｐが２０度の伏角となるように傾けた姿勢を示すものとする。
【００３８】
ＥＣＵ２０は、各種処理を制御するためのＣＰＵと、このＣＰＵで行う処理を実行するプログラムやパラメータ等を格納するＲＯＭと、その処理過程で生成されるデータを一時格納する作業領域としてのＲＡＭ等を備えた周知のマイクロコンピュータで構成している。
【００３９】
このようなＥＣＵ２０には、本実施例の車両用表示装置１を用いた制御処理（運転支援処理）を行う画像生成部２１と画像補正部２２とを備えている（図１参照）。
【００４０】
画像生成部２１は、左サイドカメラ１１で撮像した車両左後方風景の撮像データを基に生成した中間生成画像を左右反転させ、左右反転した像に対応する画像として、図４中の左電子ミラーモニタ１２の画面１２Ａに表示したような画像補正前の車両左後方画像Ｐ１に加工する。
【００４１】
画像補正部２２は、ＥＣＵ２０の指令に基づいて、画像補正前の車両後方画像Ｐ１を、該左電子ミラーモニタ１２が基準姿勢Ｓｂで配置された場合に運転者から視認される視線角度θに応じた視認映像に基づく補正画像に補正処理する実行プログラムであり、投影補正部２３、及び遠近感強調補正部２４を備えている（図１参照）。
【００４２】
ここで、視線角度θとは、図５に示すように、左電子ミラーモニタ１２の画面１２Ａを運転者が視認する角度であり、左電子ミラーモニタ１２の画面１２Ａを視認したとき、左電子ミラーモニタ１２の画面１２Ａの表示方向Ｄｄと、運転者が左電子ミラーモニタ１２の１２Ａを視認する視線方向Ｄｓとの成す角度である。
【００４３】
具体的には、図５に示すように、左電子ミラーモニタ１２は、運転者から見て水平面に対して２０度の仰角（βｐ）の方向Ｄｓに視線を移動した位置に配置されているため、左電子ミラーモニタ１２を基準姿勢Ｓｂ（傾き角度αｐ＝０°）で配置している場合における視線角度θは、２０度になる。一方、左電子ミラーモニタ１２を運転者の前方上側位置Ｐｕに傾き姿勢Ｓａ（傾き角度αｐ＝２０°）で配置した場合には、左電子ミラーモニタ１２の画面１２Ａの表示方向Ｄｄは、該画面１２Ａを目視している運転者の視線方向Ｄｓに略正対し、視線角度θは０度となる。  
投影補正部２３は、基準姿勢Ｓｂで配置した左電子ミラーモニタ１２の画面１２Ａに画像補正前の車両後方画像Ｐ１を表示した場合に、該画面１２Ａに至るまでの運転者からの視線経路に従って、該車両後方画像Ｐ１が前記傾け姿勢Ｓａで配置された左電子ミラーモニタ１２の画面１２Ａ上に投影される投影比（圧縮比）で車両後方画像Ｐ１を圧縮補正し、例えば、図７に示すような投影画像Ｐ２を生成する。
【００４４】
また、遠近感強調補正部２４は、左電子ミラーモニタ１２が運転者の前方上側位置Ｐｕに基準姿勢Ｓｂで配置されている本実施例の場合において、図５に示すように、該左電子ミラーモニタ１２の画面１２Ａに表示される車両後方画像の縦方向Ｙにおける上側横端辺Ｔｘｕの側と下側横端辺Ｔｘｄの側とで運転者からの距離Ｌｓｕ，Ｌｓｄが異なることに伴って車両後方画像に生じる遠近感を、傾け姿勢Ｓａで配置した左電子ミラーモニタ１２の画面１２Ａに表示される車両後方画像において強調して表現するように、前記投影画像Ｐ２を遠近感強調縮尺部２５とトリミング処理部２６とで補正する処理である（図１参照）。
【００４５】
詳述すると、左電子ミラーモニタ１２が運転者の前方上側位置Ｐｕに基準姿勢Ｓｂで配置されている場合、運転者から左電子ミラーモニタ１２の画面１２Ａにおける上側横端辺Ｔｘｕに至るまでの距離Ｌｓｕは、運転者から下側横端辺Ｔｘｄに至るまでの距離Ｌｓｄと比較して遠方に位置する（図５参照）。
【００４６】
そして、運転者から見て下側横端辺Ｔｘｄよりも遠方に位置する上側横端辺Ｔｘｕは、左電子ミラーモニタ１２を基準姿勢Ｓｂから下側横端辺Ｔｘｄを傾け軸として傾け姿勢Ｓａに傾けたとき、基準姿勢Ｓｂの場合と比較して運転者側に接近する。すなわち、左電子ミラーモニタ１２を傾け姿勢Ｓａで配置した場合、運転者から上側横端辺Ｔｘｕまでの距離と運転者から下側横端辺Ｔｘｄまでの距離は略同じになることから、傾け姿勢Ｓａの下で表示される車両後方画像には、基準姿勢Ｓｂの場合と比較して、上側横端辺Ｔｘｕの側と下側横端辺Ｔｘｄの側とで運転者からの距離が異なることに伴う遠近感が殆ど生じない。
【００４７】
そうすると、例えば、左電子ミラーモニタ１２の画面１２Ａに、基準姿勢Ｓｂで撮像した車両後方画像を画像補正処理せずに、図４に示す車両後方画像Ｐ１のように、そのまま表示した場合には、その画像Ｐ１を運転者が傾け姿勢Ｓａで配置した左電子ミラーモニタ１２の画面１２Ａ越しに見た際に、撮像方向と表示方向との不一致による違和感を抱き易くなる。このため、遠近感強調補正部２４によって、車両後方画像を、運転者の前方上側位置Ｐｕに基準姿勢Ｓｂ（左サイドカメラ配置姿勢）で配置されている左サイドミラーのミラー面越しに運転者が車両後方Ｒを見た際に抱く遠近感と同等以上の遠近感になるように強調して補正し、その補正画像を傾け姿勢Ｓａで配置した左電子ミラーモニタ１２の画面１２Ａにおいて表示するものである。
【００４８】
具体的に、遠近感強調縮尺部２５は、車両後方画像に生じる遠近感を強調して表現するための１つ目の手段として、図８に示す遠近感強調画像Ｐ３のように、傾け軸としての下側横端辺Ｔｘｄから上側横端辺Ｔｘｕに至まで縦方向上側Ｙｕに進むに従って徐々に横方向Ｘ長さの圧縮率が高くなるように圧縮補正する。
【００４９】
また、トリミング処理部２６は、車両後方画像に生じる遠近感を強調して表現するための２つ目の手段として、車両後方画像における左側縦端辺Ｔｙｌと右側縦端辺Ｔｙｒ方向とのうち、少なくとも一方側の縦端辺Ｔｙを縦方向上側Ｙｕに向けて徐々にトリム幅が大きくなるようにトリミング処理する（図８参照）。
【００５０】
本実施例の車両用表示装置１は、上述した構成を備えており、次に、この両用表示装置の実施例１における制御処理について図６に示すフローチャートを参照しながら説明する。  
但し、左電子ミラーモニタ１２は、傾け姿勢Ｓａで配置しているものとする。  
運転者が例えば、イグニションスイッチをＯＮにしてエンジンを始動させることにより（ステップＳ１：Ｙｅｓ）、メインモニタ３０（図２参照）等の各種車載機器の電源が立ち上がり、左サイドカメラ１１は車両左後方の撮像を開始する（ステップＳ２）。
【００５１】
なお、左サイドカメラ１１は、運転者がイグニションスイッチをＯＮにしてから作動するに限らず、運転者がシフトレバー３１を「Ｄ」モードや「Ｒ」モードに操作する、或いはアクセルペダルを踏み込むなど、自車両が動き出すことを検出した際に車両左後方の撮像を開始してもよい。
【００５２】
画像生成部２１は、左サイドカメラ１１で撮像した車両左後方風景の撮像データを基に中間生成画像を生成し、該中間生成画像を左右反転させる加工を行い、左右反転した像に対応する車両左後方画像Ｐ１を生成する（ステップＳ３）。
【００５３】
続いて、ステップＳ４の画像補正処理において投影補正処理を行う（ステップＳ４１）。  
投影補正処理では、投影補正部２３によって、基準姿勢Ｓｂで配置されている左電子ミラーモニタ１２の画面１２Ａに表示される車両後方画像Ｐ１を、運転者から該画面１２Ａまでの視線経路に従って、傾け姿勢Ｓａで配置した左電子ミラーモニタ１２の画面１２Ａ上に投影したときに表示される画像サイズとなる倍率で縮尺する投影補正を行い、図７に示すような投影画像Ｐ２を生成する。
【００５４】
具体的には、左電子ミラーモニタ１２の画面１２Ａに表示される車両後方画像Ｐ１を運転者が視認した場合、視線角度θに伴う車両後方画像Ｐ１の縦方向Ｙの歪が横方向Ｘのそれよりも大きくなるため、投影画像Ｐ２は、図５及び図７中のＬｖ，Ｌｙに示すように、画像補正前の車両後方画像Ｐ１のサイズに対して横方向Ｘよりも縦方向Ｙの縮小率（圧縮率）が大きくなり、横方向Ｘに対して縦方向Ｙが圧縮された図７に示すような画像となる。
【００５５】
続いて、ステップＳ４における画像補正処理において遠近感強調補正処理を行うが（ステップＳ４２）、この遠近感強調補正処理では、遠近感強調縮尺処理とトリミング処理を行い、図８に示すような補正画像Ｐ３としての遠近感強調画像Ｐ３を生成する。
【００５６】
遠近感強調縮尺処理では、左電子ミラーモニタ１２が運転者の前方上側位置Ｐｕに傾き姿勢Ｓａで配置されている実施例１の場合、ピッチ方向αｐの傾き軸上に有する下側横端辺Ｔｘｄから上側横端辺Ｔｘｕに至まで縦方向上側Ｙｕに進むに従って徐々に横方向Ｘの圧縮率が高くなるように投影画像Ｐ２を遠近感強調縮尺部２5によって圧縮補正する。この圧縮率は、車両後方画像の遠近感を強調して表現できる倍率であれば特に限定しないが、遠近感強調画像Ｐ３の上側横端辺Ｔｘｕが投影画像Ｐ２の上側横端辺Ｔｘｕの例えば、７０％〜９５％の長さになる範囲で圧縮することができる。
【００５７】
ステップＳ４２において遠近感強調縮尺処理とともに行うトリミング処理では、図８に示すように、左側縦端辺Ｔｙｌと右側縦端辺Ｔｙｒとを、縦方向Ｙに対して例えば、５度から３０度程度の勾配で画面枠の内側へ傾けた端辺とし、画面１２Ａの左右両側において、トリム幅が縦方向上側Ｙｕに進むに従って大きくなる略三角形状のトリム部分Ｔが形成されるようにトリミング処理部２６によってトリミング処理する。
【００５８】
すなわち、遠近感強調画像Ｐ３は、図８示すように、下側横端辺Ｔｘｄから縦方向上側Ｙｕに向けて横方向Ｘの幅が両側から狭くなる画像枠となり、実際に生じる遠近感よりも強調して表現される。
【００５９】
なお、左側縦端辺Ｔｙｌと右側縦端辺Ｔｙｒとは、画面枠の内側へトリム幅が縦方向上側Ｙｕに進むに従って大きくなるように直線状に傾斜する端辺とするに限定せず、例えば、２次曲線等の曲線状に傾けた端辺としてもよい。
【００６０】
上述した画像補正処理により生成した補正画像Ｐ３を、車両走行に伴って時々刻々と変化する動画像として傾け姿勢Ｓａに配置した左電子ミラーモニタ１２に連続的に表示し（ステップＳ６：Ｎｏ）、イグニションスイッチがＯＦＦになると車両用表示装置１の制御処理を終了する（ステップＳ６：Ｙｅｓ）。
【００６１】
以上、上述した本実施例の車両用表示装置１は、自車両の後方を撮影する撮像手段としての左サイドカメラ１１と、該左サイドカメラ１により撮影した車両後方画像を表示する左電子ミラーモニタ１２とを備えた車両用表示装置であって、左サイドカメラ１１の配置姿勢と同じ基準姿勢Ｓｂに対して運転者（Ｄ）側に向けて傾けた傾け姿勢Ｓａで配置された左電子ミラーモニタ１２の画面１２Ａに表示される車両後方画像Ｐ１を、該左電子ミラーモニタ１２が基準姿勢Ｓｂで配置された場合に運転者から視認される視線角度θに応じた視認映像に基づく補正画像Ｐ３に補正する補正手段としての画像補正部２２を備えたものである（図１参照）。
【００６２】
上記構成によれば、車両後方画像Ｐ１を、該左電子ミラーモニタ１２が基準姿勢Ｓｂで配置された場合に運転者から視認される視線角度θに応じた視認映像に基づく補正画像Ｐ３に補正し、該補正画像Ｐ３を傾け姿勢Ｓａで配置された左電子ミラーモニタ１２の画面１２Ａに表示させるため、運転者は基準姿勢Ｓｂ（左サイドカメラ配置姿勢）と傾け姿勢Ｓａとの角度の違いによる違和感を感じることなく、車両後方画像中の内容を迅速に認識することができる。
【００６３】
詳述すると、基準姿勢Ｓｂ（左サイドカメラ配置姿勢）で配置された左サイドカメラ１１が車両後方Ｒを撮像する方向と、傾け姿勢Ｓａで配置された左電子ミラーモニタ１２の画面１２Ａが車両後方画像を表示する方向とに角度にズレがある場合、運転者は、傾け姿勢Ｓａで配置された左電子ミラーモニタ１２の画面１２Ａ越しに基準姿勢Ｓｂの下で撮像された車両後方画像を視認することになり、違和感を感じ易くなり、車両後方画像中の内容を認識するのに時間がかかるおそれがあった。
【００６４】
具体的には、左電子ミラーモニタ１２が傾け姿勢Ｓａで配置されている場合、運転者は、左電子ミラーモニタ１２の画面１２Ａに表示された画像を、あたかも傾け姿勢Ｓａで配置された左サイドミラー越しに見た鏡面映像として認識しようとして直感的に空間認識しようとする。しかし、傾け姿勢Ｓａで配置した左電子ミラーモニタ１２の画面１２Ａに、傾け姿勢Ｓａとは異なる基準姿勢Ｓｂ（左サイドカメラ配置姿勢）に対応する撮像方向から撮像した車両後方画像を表示した場合、傾け姿勢Ｓａと左サイドカメラ１１の配置姿勢との角度にズレがあるため、運転者が違和感を抱くおそれがあった。
【００６５】
このため、運転者は、傾け姿勢Ｓａで配置された左電子ミラーモニタ１２の画面１２Ａに表示された車両後方画像が傾け姿勢Ｓａではなく、左サイドカメラ１１の配置姿勢の下で撮像されたものであることを頭の中で認識し直す必要があるため、車両後方画像中の内容を迅速に認識することができなかった。
【００６６】
これに対して、本実施例においては、図４に示すような車両後方画像Ｐ１を、該左電子ミラーモニタ１２が基準姿勢Ｓｂで配置された場合に運転者から視認される視線角度θに応じた視認映像に基づく図８に示すような補正画像Ｐ３に補正し、該補正画像Ｐ３を傾け姿勢Ｓａで配置された左電子ミラーモニタ１２の画面１２Ａに表示させるため、運転者はこの車両後方画像中の内容を迅速に認識することができる。
【００６７】
またこの発明の態様として、画像補正部２２は、基準姿勢Ｓｂで配置した左電子ミラーモニタ１２の画面１２Ａにおける縦方向上側Ｙｕの上側横端辺Ｔｘｕと縦方向下側Ｙｄの下側横端辺Ｔｘｄとで運転者からの距離が異なることに伴って車両後方画像Ｐ１に生じる遠近感を、傾け姿勢Ｓａで配置した左電子ミラーモニタ１２の画面１２Ａにおいて強調して表現する遠近感強調補正を行う遠近感強調表現手段としての遠近感強調補正部２４である（図１参照）。
【００６８】
上記構成によれば、運転者の前方上側位置Ｐｕに基準姿勢Ｓｂで配置した左サイドミラー越しに運転者が車両後方Ｒを見た場合に感じる遠近感よりも、換言すると、運転者が傾け姿勢Ｓａの下で表示された投影画像Ｐ２を見た場合に感じる遠近感よりも強調した図８に示すような遠近感強調画像P3を傾け姿勢Ｓａで配置した左電子ミラーモニタ１２の画面１２Ａに表示するものである。
【００６９】
これにより、傾け姿勢Ｓａで配置した左電子ミラーモニタ１２の画面１２Ａ越しに基準姿勢Ｓｂ（左サイドカメラ配置姿勢）の下で撮像した車両後方画像を運転者が視認する際に抱く上述した違和感をより一層、低減することができる。
【００７０】
またこの発明の態様として、基準姿勢Ｓｂで配置した左電子ミラーモニタ１２の画面１２Ａに表示される車両後方画像のＹ方向の上下両側のうち、基準姿勢Ｓｂから傾け姿勢Ｓａに傾けることにより運転者側に接近する側の上側横端辺Ｔｘｕを接近側画像端辺に設定し、遠近感強調補正部２４は、車両後方画像における左側縦端辺Ｔｙｌと右側縦端辺Ｔｙｒとを縦方向Ｙに向けて徐々にトリム幅が大きくなるようにトリミング処理するトリミング処理部２６である（図１参照）。
【００７１】
上記構成により、車両後方画像の圧縮率を変形させた投影画像Ｐ２と比較して傾け姿勢Ｓａで配置した左電子ミラーモニタ１２の画面１２Ａに、図８に示すような遠近感強調画像P3を表示することで遠近感をより生じさせることができる。
【００７２】
（実施例２）  
次に、実施例２では、実施例１のように、左電子ミラーモニタ１２を運転者の前方上側位置Ｐｕに配置するのではなく、図９に示すように、運転者の前方左側位置Ｐｌに配置した実施例について図９〜図１２を用いて説明する。  
但し、上述した実施例１と同様の構成については同一の符号を付してその説明を省略する。
【００７３】
なお、図９は、運転者が前方左側位置に傾け姿勢で配置した左電子ミラーモニタを見ながら運転している様子を平面視して模式的に示した説明図であり、図１０は運転者と該運転者の前方左側位置に配置した左電子ミラーモニタとの角度の関係を模式的に示した説明図であり、左電子ミラーモニタの配置姿勢に応じた運転者の視線角度θの違いを説明する説明図である。図１１は実施例２の車両用表示装置の投影補正部により車両後方画像を投影補正した投影画像Ｐ２を模式的に示した正面図であり、図１２は実施例２の車両用表示装置の遠近感強調補正部により車両後方画像を遠近感強調補正した遠近感強調画像Ｐ３を模式的に示した正面図である。
【００７４】
ここで、本実施例における運転者の前方左側位置Ｐｌとは、運転者から視認できるように車両前方Ｆを見て車幅方向Ｗに直交する鉛直面に対して２０度だけ左方向（平面視反時計回り方向）に運転者が前方Ｆから視線を移動した位置であるものとする。
【００７５】
具体的には、図９に示すように左電子ミラーモニタ１２を支持する支持部材３Ａは、インストルメントパネル５１の車幅方向Ｗの中央位置（ステアリングホイール４よりも左側位置）に設けたメインモニタ３０の上部位置に設置されている。
【００７６】
また、このような運転者の前方左側位置Ｐｌに配置した左電子ミラーモニタ１２は、上述したように、ボールジョイント３Ａｊを中心にしてヨー方向αｙのマイナス（車両平面視反時計回り方向）へ傾けることで基準姿勢Ｓｂに対して運転者の側に向けて傾けた傾け姿勢Ｓａに傾けることができるが、本実施例における傾け姿勢Ｓａは、図１０に示すように、左電子ミラーモニタ１２を、該左電子ミラーモニタ１２の画面１２Ａを目視している運転者の視線方向Ｄｓに略正対（一致）する姿勢、すなわち車幅方向Wに対して車両平面視反時計回りに２０度αｙだけ傾けた姿勢を示すものとする。
【００７７】
但し、本実施例においては、図４中仮想線で示すように、基準姿勢Ｓｂから傾け姿勢Ｓａに傾けるヨー方向αｙの傾け軸（回動軸）を、模式的に、右側縦端辺Ｔｙｒに沿った軸と一致するものとし、左電子ミラーモニタ１２を右側縦端辺Ｔｙｒ軸回りに基準姿勢Ｓｂから傾け姿勢Ｓａへ傾けるものみなして説明する。
【００７８】
実施例１の左電子ミラーモニタ１２は運転者の前方上側位置Ｐｕに配置しているのに対して、実施例２の左電子ミラーモニタ１２は、運転者の前方左側位置Ｐｌに配置しており、運転者が左電子ミラーモニタ１２を目視したときに、このような左電子ミラーモニタ１２の配置箇所が異なることによる視線角度θの違いに着目して実施例１の補正処理とは異なる点を中心に説明する。
【００７９】
まず、実施例２の車両用表示装置１の制御処理において行う投影補正処理（図６中のステップＳ４１）について着目すると、左電子ミラーモニタ１２が運転者の前方左側位置Ｐｌに傾け姿勢Ｓａで配置されている実施例２の場合、投影画像ＰＡ２は、図１１に示すように、車両後方画像Ｐ１に対して、視線角度θに伴う横方向Ｘの歪が縦方向Ｙのそれよりも大きくなるため、縦方向Ｙと比較して横方向Ｘの縮小率（圧縮率）が大きくなり、縦方向Ｙに対して横方向Ｘの長さ（Lw）が横方向右側Ｘｒへ圧縮された画像となる。
【００８０】
続いて車両用表示装置１の実施例２の制御処理において行う遠近感強調補正処理（図６中のステップＳ４２）としての遠近感強調縮尺処理、及びトリミング補正処理について説明する。
【００８１】
遠近感強調縮尺処理部２４は、左電子ミラーモニタ１２が運転者の前方左側位置Ｐｌに傾け姿勢Ｓａで配置されている本実施例の場合、図１２に示すように、傾け軸上に有する右側縦端辺Ｔｙｒから左側縦端辺Ｔｙｌに至まで横方向左側Ｘｌに進むに従って徐々に縦方向Ｙの圧縮率が高くなるように遠近感強調縮尺部２5によって圧縮補正する。この圧縮率は、車両後方画像の遠近感を強調して表現できる倍率であれば特に限定しないが、遠近感強調画像ＰＡ３の左側縦端辺Ｔｙｌが投影画像ＰＡ２の右側縦端辺Ｔｙｌの例えば、７０％〜９５％の長さになる範囲で圧縮することができる。
【００８２】
また、本実施例におけるトリミング処理では、図１２に示すように、トリミング処理部２６によって、上側横端辺Ｔｘｕと下側横端辺Ｔｘｄとを、横方向Ｘに対して例えば、５度から３０度程度の勾配で画面枠の内側へ傾いた端辺とし、画面１２Ａの上下両側において、トリム幅が横方向左側Ｘｌに進むに従って大きくなる略三角形状のトリム部分Ｔが形成されるようにトリミング処理する。
【００８３】
すなわち、実施例２の補正画像ＰＡ３としての遠近感強調画像ＰＡ３は、図１２に示すように、右側縦端辺Ｔｙｒから横方向左側Ｘｌに向けて縦方向Ｙの幅が両側から狭くなる画像枠Ｆとなり、実際に生じる遠近感よりも強調して表現される。
【００８４】
上述した補正処理により、左電子ミラーモニタ１２を運転者の前方左側位置Ｐｌに傾け姿勢Ｓａで配置した場合であっても、運転者は違和感を感じることなく、左電子ミラーモニタ１２を運転者の前方上側位置Ｐｕに配置した実施例１の場合と同様の効果を奏することができる。
【００８５】
この発明の構成と、上述の実施形態との対応において、この発明の撮像手段は、この実施形態の左サイドカメラ１１に対応し、  
電子ミラーモニタは、左電子ミラーモニタ１２に対応し、  
補正手段は、画像補正部２２に対応し、  
投影補正手段は、投影補正部２３に対応し、  
遠近感強調表現手段は、遠近感強調補正部２４に対応し、  
投影補正は、ステップS41の投影補正処理に対応し、  
遠近感強調補正は、ステップS4２の遠近感強調補正処理に対応し、  
傾け軸方向は、実施例１の下側横端辺Ｔｘｄに沿った軸方向又は、実施例２の右側縦端辺Ｔｙｒに沿った軸方向に対応し、  
直交方向は、実施例１の縦方向Ｙ、又は実施例２の横方向Ｘに対応し、  
直交方向の一方側は、実施例１の下側横端辺Ｔｘｄ、又は実施例２の右側縦端辺Ｔｙｒに対応し、  
直交方向の他方側は、実施例１の上側横端辺Ｔｘｕ、又は実施例２の左側縦端辺Ｔｙｌに対応し、接近側画像端辺（運転者側に接近する側の端辺）は、実施例１の上側横端辺Ｔｘｕ、又は実施例２の左側縦端辺Ｔｙｌに対応し、  
前記傾け軸方向の少なくとも一方側の端辺は、実施例１においては、左側縦端辺Ｔｙｌと右側縦端辺Ｔｙｒの少なくとも一方側の縦端辺Ty、実施例２においては、上側横端辺Ｔｘｕと下側横端辺Ｔｘｄの少なくとも一方側の横端辺Txに対応するも、この発明は、上述の実施例の構成のみに限定されるものではない。
【００８６】
例えば、傾け姿勢Ｓａで配置された左電子ミラーモニタ１２の画面１２Ａに表示される車両後方画像に対して図６中のステップ４の画像補正処理するに際して、ステップＳ４１の投影補正処理を省略してステップＳ４２の遠近感強調補正処理として遠近感強調縮尺処理とトリミング処理のみを行ってもよい。
【００８７】
このように、画像補正処理としてステップＳ４２の遠近感強調補正処理（遠近感強調縮尺処理とトリミング処理）のみを行うことで、車両後方画像として図１３（ａ），（ｂ）に示すような補正画像Ｐ３Ａ，ＰＡ３Ａを傾け姿勢Ｓａの左電子ミラーモニタ１２の画面１２Ａに表示することができる。  
なお、図１３（ａ）は車両後方画像Ｐ１に対して投影補正せずに実施例１の遠近感強調補正を行った補正画像Ｐ３Ａとしての遠近感強調画像Ｐ３Aを模式的に示した正面図であり、図１３（ｂ）は車両後方画像Ｐ１に対して投影補正せずに実施例２の遠近感強調補正を行った補正画像ＰＡ３Ａとしての遠近感強調画像Ｐ３Aを模式的に示した正面図である。
【００８８】
そしてこのように、ステップＳ４２の遠近感強調補正処理により車両後方画像の遠近感を強調することによって上述したように、基準姿勢Ｓｂ（撮像画像配置姿勢）と傾け姿勢Ｓａとの角度の違いによる運転者が抱く違和感を緩和しつつ、ステップＳ４１の投影補正処理を行った場合と比較して左電子ミラーモニタ１２の画面１２Ａ中に車両後方の広い範囲が表示された車両後方画像を表示することができる。
【００８９】
或いは、他の実施形態として、傾け姿勢Ｓａで配置された左電子ミラーモニタ１２の画面１２Ａに表示される車両後方画像を画像補正部２２により補正するに際して、ステップＳ４１の投影補正処理を省略し、さらに、ステップＳ４２の遠近感強調補正処理の中でも遠近感強調縮尺処理を省略してトリミング処理のみ行ってもよい。
【００９０】
このように、ステップ４の画像補正処理としてトリミング処理のみを行うことで、車両後方画像として図１４（ａ），（ｂ）に示すような補正画像Ｐ３Ｂ，ＰＡ３Ｂを傾け姿勢Ｓａの左電子ミラーモニタ１２の画面１２Ａに表示することができる。  
なお、図１４（ａ）は車両後方画像Ｐ１に対して画像補正処理として実施例１のトリミング処理補正を行った補正画像Ｐ３Ｂとしての遠近感強調画像Ｐ３Ｂを模式的に示した正面図であり、図１４（ｂ）は車両後方画像Ｐ１に対して画像補正処理として実施例２のトリミング処理補正を行った補正画像ＰＡ３Bとしての遠近感強調画像ＰＡ３Ｂを模式的に示した正面図である。
【００９１】
これにより、車両後方画像Ｐ１に対して縮尺補正せずにトリム部Ｔのみを付加する画像処理をすることによって、上述した運転者が抱く違和感を緩和しつつ、運転者にとって視認し易くすることができる。
【００９２】
また上述したように、画像補正部２２として、基準姿勢Ｓｂで配置した場合の左電子ミラーモニタ１２の画面１２Ａに表示される車両後方画像に至るまでの運転者の視線経路に従って車両後方画像を傾け姿勢Ｓａで配置された左電子ミラーモニタ１２の画面１２Ａに投影補正する投影補正手段としての投影補正部２３を備えているが（図１参照）、他の実施形態として、傾け姿勢Ｓａで配置された左電子ミラーモニタ１２の画面１２Ａに投影補正部２３によって投影した投影画像Ｐ２を表示させてもよい（図７参照）。
【００９３】
このように、補正画像としての投影画像Ｐ２を、傾け姿勢Ｓａで配置された左電子ミラーモニタ１２の画面１２Ａに表示させた場合であっても、運転者は、基準姿勢Ｓｂで配置された左電子ミラーモニタ１２の画面１２Ａを見た場合に視認される車両後方画像を傾け姿勢Ｓａで配置された左電子ミラーモニタ１２の画面１２Ａから視認することができるため、上述した違和感を感じることがなく、車両後方画像中の内容を迅速に認識することができる。
【００９４】
また、図示省略するが他の実施例として遠近感強調補正部２４は、左電子ミラーモニタ１２を傾け姿勢Ｓａに配置した状態において、車両後方画像の縦方向Ｙと車両上下方向Ｖとのなす角と、横方向Ｘと車幅方向Ｗとのなす角とのうち、角度が大きい側の方向に沿った画像端辺についてのみステップ４の画像補正処理をする構成としてもよい。
【００９５】
上記構成により、車両後方画像の遠近感を強調しつつ、視認し易さを確保することができる。
【００９６】
具体的には、例えば実施例１の場合、左電子ミラーモニタ１２が運転者の前方上側位置Ｐｕに配置されていることから縦方向Ｙについての遠近感を出すために、縦端辺Ｔｙに沿ってのみ遠近感強調縮尺処理や、トリミング処理などの遠近感強調補正を行った。
【００９７】
一方、実施例２の場合、左電子ミラーモニタ１２が運転者の前方左側位置Ｐｌに配置されていることから横方向Ｘについての遠近感を出すために、横端辺Ｔｘに沿ってのみ遠近感強調縮尺処理や、トリミング処理などの遠近感強調補正を行った。
【００９８】
しかし、例えば、左電子ミラーモニタ１２が運転者の車両前方に対して車両上下方向Ｖと車幅方向Ｗの双方向に対してずれた位置に配置されている場合、左電子ミラーモニタ１２をその画面１２Ａを運転者に正対するように傾けた傾け姿勢Ｓａに変更する際には、下側横端辺Ｔｘｄ軸回りと右側縦端辺Ｔｙｒ軸回りの双方の方向に傾ける必要がある。
【００９９】
このような場合において、車両後方画像Ｐ１の遠近感を出すために、該車両後方画像Ｐ１を縦端辺Ｔｙと横端辺Ｔｘの双方の成分についてトリミング処理などの画像補正処理を行った場合、かえって車両後方画像の画像枠Ｆがいびつな形状になるなどして遠近感が直感的に認識し難くなることや自体の視認可能な領域が狭まるなどして車両後方画像が視認し難くなるおそれがある。
【０１００】
これに対して、このように左電子ミラーモニタ１２が運転者の車両前方Ｆに対して車両上下方向Ｖと車幅方向Ｗの双方向に対してずれた位置に配置されている場合であっても、遠近感強調補正部２４では、左電子ミラーモニタ１２を傾け姿勢Ｓａに配置した状態において、車両後方画像の縦方向Ｙと車両上下方向Ｖとのなす角と、横方向Ｘと車幅方向Ｗとのなす角とのうち、角度が大きい側の方向に沿った画像端辺についてのみステップ４の画像補正をする構成としているため、車両後方画像の遠近感を出しつつ、視認し易さを確保することができる。
【産業上の利用可能性】
【０１０１】
以上説明したように、本発明は、例えば、自車両の後方を撮影する撮像手段と、前記撮像手段により撮影した車両後方画像を表示する電子ミラーモニタとを備えた車両用表示装置について有用である。
【符号の説明】
【０１０２】
１…車両用表示装置
１１…左サイドカメラ
１２…左電子ミラーモニタ
１２Ａ…画面
２１…画像生成部
２２…画像補正部
２３…投影補正部
２４…遠近感強調補正部
２６…トリミング補正部
Ｆ…画像枠
Ｓｂ…基準姿勢
Ｓａ…傾け姿勢
Ｔｘ…横端辺
Ｔｙ…縦端辺
Ｔｘｕ…上側横端辺
Ｔｘｄ…下側横端辺
Ｔｙｌ…左側縦端辺
Ｔｙｒ…右側縦端辺
θ…視線角度
Ｐ１…（補正処理前の）車両後方画像
Ｐ２，ＰＡ２…投影画像（補正画像）
Ｐ３，ＰＡ３，Ｐ３Ａ，ＰＡ３Ａ，Ｐ３Ｂ，ＰＡ３Ｂ…遠近感強調画像（補正画像）
Ｙ…縦方向
Ｘ…横方向
Ｖ…車両上下方向
Ｗ…車幅方向
【図１】
2016172525.tif 000003
【図２】
2016172525.tif 000004
【図３】
2016172525.tif 000005
【図４】
2016172525.tif 000006
【図５】
2016172525.tif 000007
【図６】
2016172525.tif 000008
【図７】
2016172525.tif 000009
【図８】
2016172525.tif 000010
【図９】
2016172525.tif 000011
【図１０】
2016172525.tif 000012
【図１１】
2016172525.tif 000013
【図１２】
2016172525.tif 000014
【図１３】
2016172525.tif 000015
【図１４】
2016172525.tif 000016